(57)【要約】【課題】流体管を被接続体に接続する作業中に、接続部材が内部を挿通した流体管に沿って自由移動するのを抑制して作業効率を高める。【解決手段】流体管１１を継手２３の接続筒部２３ａとの間で挟み付けて前記継手２３に接続させる接続部材１に、流体管１１が挿通される挿通部と、前記流体管１１が挿通された状態で自身が前記流体管１１に沿って移動するのを抑制する自由移動抑制部材２とを備えた。【選択図】図１
2005180709.tif 000002
【特許請求の範囲】
【請求項１】
流体管を被接続体との間で挟み付けて該被接続体に接続させる接続部材であって、
前記流体管が挿通される挿通部と、前記流体管が挿通された状態で該流体管に沿って移動するのを抑制する移動抑制手段とを備えたことを特徴とする流体管接続用の接続部材。
【請求項２】
前記移動抑制手段は、接続部材自身の自重による前記移動のみを防止し、手による前記移動は妨げないことを特徴とする請求項１に記載の流体管接続用の接続部材。
【請求項３】
本体部分が金属材で形成されたことを特徴とする請求項１または請求項２に記載の流体管接続用の接続部材。
【請求項４】
前記移動抑制手段は、前記流体管が挿通された状態で、自身の弾性により前記流体管の外面を押圧する押圧部材で構成されたことを特徴とする請求項１乃至請求項３のいずれか１項に記載の流体管接続用の接続部材。
【請求項５】
前記移動抑制手段は、前記挿通部の内面に設けられたことを特徴とする請求項１乃至請求項４のいずれか１項に記載の流体管接続用の接続部材。
【請求項６】
前記流体管が挿通された状態で前記被接続体に設けられた接続筒部に対し軸方向に移動して、前記接続筒部に外挿された流体管を該接続筒部との間で締付けることを特徴とする請求項１乃至請求項５のいずれか１項に記載の流体管接続用の接続部材。
【請求項７】
流体管を被接続体との間で締付けて該被接続体に接続させる接続部材に取付けられ、
前記流体管が挿通された状態で前記流体管を押圧して前記接続部材が前記流体管に沿って移動するのを抑制する押圧部を備えたことを特徴とする流体管接続用の押圧部材。
【請求項８】
合成樹脂で形成されたことを特徴とする請求項７に記載の流体管接続用の押圧部材。
【発明の詳細な説明】
【技術分野】
【０００１】
本発明は、流体管を、継手、ヘッダ等の被接続体との間で挟み付けて該被接続体に接続させる流体管接続用の接続部材及び押圧部材に関するもので、特に、接続作業中に、自身の自重等によって、内部を挿通した流体管に沿って落下するなどの自由移動を抑制して作業効率を高める流体管接続用の接続部材及び押圧部材に関するものである。
【背景技術】
【０００２】
従来、継手等の被接続体に流体管を強固に接続するための接続部材として、例えば、特許文献１に示したものがあり、これを図１３乃至図１５に基づいて説明する。
【０００３】
図において、ヘッダ２１は被接続部２２に継手２３を介して複数の流体管１１が接続されるものである。鞘管１２は前記流体管１１を保護するものである。また、円筒状の移動スリーブ３は流体管１１を強固に接続するための接続部材となるものである。この被接続部２２に流体管１１を接続するには、予め流体管１１の接続端部に移動スリーブ３を外挿しておき、図１４に示すように、流体管１１を継手２３の接続筒部２３ａに強制的に嵌め込む。
【０００４】
次に、移動スリーブ３を強制的に継手２３の接続筒部２３ａに移動させると、流体管１１は先端部が圧潰するとともに、継手２３の接続筒部２３ａと移動スリーブ３とによって強く挟み付けられ、これによって、図１４に示すように、継手２３に強固に接続される。
【０００５】
また、水栓等を取付けるために壁材の裏側に配設された配管用ボックス内のエルボに流体管１１を強固に接続するための従来の接続部材１として、例えば、特許文献２に示したものがあり、これを図１６乃至図１９に基づいて説明する。
【０００６】
図において、壁材２７の表側に配設された配管用ボックス２４は略箱状に形成され、内部にエルボ２５が収納されるとともに、下部には流体管１１を保護する鞘管１２が取付けられるようになっている。前記エルボ２５はその外周に形成された鍔部２５ａを、前記配管用ボックス２４の開口部に設けられた当接部２４ａと前記配管用ボックス２４の開口部に螺着される固定リング２６とで挟持することによって、配管用ボックス２４内に取付けられている。
【０００７】
このエルボ２５に流体管１１を接続するには、図１７に示すように、流体管１１を壁材２７の表側である室内側に引き出し、この流体管１１の先端部に接続部材１を構成する移動スリーブ３と袋ナット４とを外挿する。次に、図１８に示すように、流体管１１の先端を被接続体としてのエルボ２５の接続筒部２５ｂに強制的に嵌め込む。次いで、図１９に示すように、袋ナット４をエルボ２５の雄ねじ部２５ｃに螺着すると、それに伴って、移動スリーブ３がエルボ２５の接続筒部２５ｂ側に移動するので、流体管１１は先端部が圧潰するとともに、エルボ２５の接続筒部２５ｂと移動スリーブ３とによって挟み付けられ、エルボ２５に強固に接続される。
【特許文献１】特願平１０−１６６７１３号公報
【特許文献２】特開平３−９１８７号公報
【発明の開示】
【発明が解決しようとする課題】
【０００８】
しかし、従来のこの種の接続部材を使用して、流体管１１を継手２３、エルボ２５等の被接続体に接続する作業において、強固に締付けるための接続部材である移動スリーブ３及び袋ナット４を予め流体管１１の接続端部に外嵌しておく必要があるが、この移動スリーブ３及び袋ナット４は被接続体側に移動させながら継手２３の接続筒部２３ａ或いはエルボ２５の接続筒部２５ｂとの間で流体管１１を挟み付けるものであり、その内径は接続端部を除く流体管１１の外径より僅かに大きいから、締付け前は、流体管１１の外周をその長さ方向に沿って自由に移動する。
【０００９】
このため、接続作業時に移動スリーブ３及び袋ナット４を保持していないと、これらの移動スリーブ３及び袋ナット４が自重により、流体管１１に沿って移動し、鞘管１２の中に落下したり、配管用ボックス２４の開口部内に落下してしまう。また、流体管１１が天井側から下方に垂下して配管される場合は、移動スリーブ３及び袋ナット４が管端から外れてしまったり、管端にフレア加工、面取り加工、皮むき加工等の処理をするときに、移動スリーブ３及び袋ナット４が自重で管端の前記処理の行われる部分にまで落下するため、この部分の処理の作業を妨げていた。この結果、作業効率の低下を招いていた。
【００１０】
そこで、本発明は、流体管を被接続体に接続する作業中に、内部を挿通した流体管に沿って自由移動するのを抑制して作業効率を高めることのできる流体管の接続部材及び押圧部材の提供を課題とするものである。
【課題を解決するための手段】
【００１１】
請求項１の流体管接続用の接続部材は、流体管を被接続体との間で挟み付けて該被接続体に接続させる接続部材であって、前記流体管が挿通される挿通部と、前記流体管が挿通された状態で該流体管に沿って移動するのを抑制する移動抑制手段とを備えたものである。
【００１２】
請求項２の流体管接続用の接続部材は、請求項１に記載の移動抑制手段が、接続部材自身の自重による移動のみを防止し、手による移動は妨げないものである。
【００１３】
請求項３の流体管接続用の接続部材は、請求項１または請求項２に記載の接続部材の本体部分が、金属材で形成されたものである。
【００１４】
請求項４の流体管接続用の接続部材は、請求項１乃至請求項３のいずれか１項に記載の移動抑制手段が、流体管が挿通された状態で、自身の弾性により前記流体管の外面を押圧する押圧部材で構成されたものである。
【００１５】
請求項５の流体管接続用の接続部材は、請求項１乃至請求項４のいずれか１項に記載の移動抑制手段が、挿通部の内面に設けられたものである。
【００１６】
請求項６の流体管接続用の接続部材は、請求項１乃至請求項５のいずれか１項に記載の流体管が挿通された状態で被接続体に設けられた接続筒部に対し軸方向に移動して、前記接続筒部に外挿された流体管を該接続筒部との間で締付けるものである。
【００１７】
請求項７の流体管接続用の押圧部材は、流体管を被接続体との間で締付けて該被接続体に接続させる接続部材に取付けられ、前記流体管が挿通された状態で前記流体管を押圧して前記接続部材が前記流体管に沿って移動するのを抑制する押圧部を備えたものである。
【００１８】
請求項８の流体管接続用の押圧部材は、請求項７に記載の押圧部材が、合成樹脂で形成されたものである。
【発明の効果】
【００１９】
以上のように、本発明は、流体管が挿通される挿通部と、前記流体管が挿通された状態で該流体管に沿って移動するのを抑制する移動抑制手段とを備えたものである。したがって、被接続体に流体管を接続する際に、流体管に外嵌した接続部材が自重等によって自由移動するのを移動抑制手段が抑制するので、前記接続部材は自由移動することなく流体管の任意の位置に保持される。その結果、手などで接続部材を保持していなくても鞘管や配線ボックス内に落下したり、流体管の先端から外れてしまうなどの不具合を防止できるので、接続における作業効率を高めることができる。
【発明を実施するための最良の形態】
【００２０】
以下、本発明の実施例を図１乃至図４に基づいて説明する。図において、被接続体としての継手２３は、一端がヘッダ等に接続され、他端側の接続筒部２３ａに流体管１１が接続されるものである。接続部材１は流体管１１を接続筒部２３ａに強固に接続するためのものであり、円筒状をなし、内部に流体管１１が挿通される挿通部１ａが形成され、流体管１１の先端部に外嵌されて、前記接続部材１と継手２３の接続筒部２３ａとで流体管１１を挟み付けるものである。前記接続部材１の下部の内周壁には凹部溝１ｂが環状に形成され、この凹部溝１ｂにリング板状の自由移動抑制部材２が嵌着されている。
【００２１】
前記自由移動抑制部材２は、図４に示すように、内部に流体管１１が挿通される挿通部２ａが形成され、円周方向に等間隔で４箇所に中心側に突出する突出部２ｂが設けられており、相対向する突出部２ｂの間隔は流体管１１の外径よりも僅かに小さく形成され、流体管１１に外嵌されたときに、流体管１１の外周壁に圧接するようになっている。
【００２２】
図２は自由移動抑制部材２を接続部材１に嵌着した状態を示す。前記自由移動抑制部材２は合成樹脂、ゴム、金属等の弾性材で形成されておりプレスによる打抜き加工によって安価に量産することができる。但し、突出部２ｂは４箇所に限る必要はなく、流体管１１との摺動抵抗等を考慮して適宜選定すればよい。要するに、自身の自重等によって、流体管１１に沿って自由に移動するのを防止できるとともに、その一方では、手で強制的な力を加えれば容易に移動させ得る流体管１１への保持力を有すればよい。
【００２３】
なお、流体管１１が樹脂製であれば、傷付きを防止するために、自由移動抑制部材２は金属製のものは使用しない方がよい。また、自由移動抑制部材２がゴム製の場合は可塑剤等が流体管１１を劣化させるおそれがある。したがって、流体管１１が樹脂製の場合は、自由移動抑制部材２はポリエチレン等の合成樹脂製が最も望ましい。ここで、前記自由移動抑制部材２は、請求項１乃至請求項６の移動抑制手段に相当するものであり、請求項７乃至請求項９の押圧部材に相当するものでもある。
【００２４】
次に、上記のように構成された本実施例の接続作業及び接続部材、押圧部材の作用を説明する。継手２３への流体管１１の接続作業において、図１に示すように、流体管１１を継手２３の接続筒部２３ａに外嵌する直前は、予め流体管１１に外嵌した接続部材１の自由移動抑制部材２が弾性的に流体管１１の外周壁に圧接し、自由移動を抑制する保持力及び摺動抵抗を有しているので、落下することなく流体管１１の任意の位置に保持される。したがって、手で接続部材１を保持していなくても接続部材１が鞘管１２内に落下して作業効率を低下させることがない。
【００２５】
次に、流体管１１を継手２３の接続筒部２３ａに接続するときには、接続部材１は自由移動抑制部材２によって流体管１１に保持されてはいるものの、手で強制的な力を加えれば、摺動抵抗に抗して流体管１１に沿って継手２３の接続筒部２３ａまで支障なく移動させることができる。次に、接続部材１を接続筒部２３ａの奥側まで移動させると、図１５に示すと同様に、流体管１１は継手２３の接続筒部２３ａと接続部材１の内周壁との間で挟み付けられ、先端部が圧潰し、強固に接続される。
【００２６】
なお、流体管１１が上方に向けてでなく、天井側から下垂して継手２３に接続される場合には、接続部材１は自身の自重によって落下して流体管１１の先端から外れてしまうのが防止される。また、管端にフレア加工、面取り加工、皮むき加工等の処理が必要な場合に、接続部材１が管端まで落下して処理作業の妨げとなるのが防止される。
【００２７】
ところで、自由移動抑制部材２は図４に示す形状としているが、これに限られるものではなく、例えば、図５に示すように、円周の対向する２箇所の弦の部分を突出部２ｂとし、或いは、図６に示すように、３箇所の弦の部分を突出部２ｂとして形成してもよい。また、自由移動抑制部材２は接続部材１の内周壁の凹部溝１ｂに嵌着しているが、図７に示すように接続部材１の下端面に凹部溝１ｂを設け、流体管１１に押圧される突出部２ｂを設けた自由移動抑制部材２を取付けるようにしてもよく、図８に示すように、接続部材１の外周壁に凹部溝１ｂを設け、流体管１１に押圧される突出部２ｂを設けた自由移動抑制部材２を取付けるようにしてもよく、自由移動抑制部材２の接続部材１への取付手段は問わない。
【００２８】
次に、本発明の別の実施例を図９に基づいて説明する。図９は図１６に示したと同様の配線用ボックス内に配設された被接続体であるエルボ２５に流体管１１を接続する作業を行なうべく、壁材の表側に引き出した状態を示す。図において、エルボ２５には流体管１１が接続される接続筒部２５ｂ及び袋ナット４が螺着される雄ねじ部２５ｃが形成されている。接続部材１はエルボ２５の接続筒部２５ｂとの間で流体管１１を挟圧する移動スリーブ３と、エルボ２５の雄ねじ部２５ｃに螺着されることにより、前記移動スリーブ３を雄ねじ部２５ｃ側に移動させる袋ナット４とで形成され、更に、この袋ナット４の下部における縮径部の内周壁に形成された凹部溝４ａに自由移動抑制部材２が嵌着されている。自由移動抑制部材２は図４乃至図６に示す前述の実施例と同様の形状をなし、自身の自重等によって流体管１１に沿って自由に移動するのを防止し、かつ、強制的な力を加えれば容易に移動させ得る流体管１１への保持力を有している。
【００２９】
したがって、接続作業において、流体管１１を壁材の表側に引き出し、接続部材１を流体管１１に外嵌した後、流体管１１をエルボ２５の接続筒部２５ｂに外挿し、接続部材１の袋ナット４をエルボ２５の雄ねじ部２５ｃに螺着する。これによって、流体管１１はエルボ２５の接続筒部２５ｂと接続部材１の移動スリーブ３とで強く挟圧され、エルボ２５の接続筒部２５ｂに強固に接続される。
【００３０】
ここで、接続部材１の袋ナット４には自由移動抑制部材２が設けられているので、流体管１１を図示しない壁材の表側に引き出して続部材１を外嵌したときに、自由移動抑制部材２が流体管１１の外周壁に押圧されるため、袋ナット４を流体管１１の任意の位置に保持できる。それに伴って、袋ナット４内の移動スリーブ３も袋ナット４で受け止められるので、流体管１１に沿って自重で落下するのを防止できる。その結果、エルボ２５への接続作業時に、一旦壁材の表側に引き出した流体管１１に外嵌した接続部材１が自重で壁材の裏側の配管用ボックス内に落下してしまうのを防止することができる。ところで、自由移動抑制部材２は袋ナット４に設けているが、移動スリーブ３に設けてもよい。
【００３１】
なお、本実施例においても、袋ナット４への自由移動抑制部材２の取付けは、図９に限られず、例えば、図７、図８に示す接続部材１と同様の取付けとしてもよく、自由移動抑制部材２の形状も任意に設定できる。
【００３２】
次に、本発明の更に別の実施例を図１０乃至図１２に基づいて説明する。図において、接続部材１は円筒部５の筒壁の略半周分に形成された切欠から接続リング６の環状部６ａが挿通され、前記円筒部５の内壁に形成された環状溝に嵌め込まれたものであり、上下に２個の接続リング６が反対側から挿入されたものである。前記接続リング６は図１１に示すように、流体管１１が挿通する環状部６ａと、挟圧することによって前記環状部６ａを縮径して前記流体管１１を締付ける挟圧部６ｂとが一体に形成されたものである。前記接続部材１の下部の内壁の環状溝には、リング板状の合成樹脂、ゴム、金属等からなる自由移動抑制部材２が嵌着されており、その自由移動抑制部材２の複数箇所には内部側に僅かに突出する突出部２ｂが形成されている。
【００３３】
このように構成された接続部材１を使用して流体管１１を接続するには、予め接続部材１を流体管１１に外嵌しておき、流体管１１を継手２３の接続筒部２３ａに外挿する。このとき、接続部材１には自由移動抑制部材２が貼着されているので、この自由移動抑制部材２の突出部２ｂが流体管１１の外周壁に押圧されるため、接続部材１が流体管１１に沿って自由移動するのを防止することができる。次に、この接続部材１を継手２３の接続筒部２３ａの部分まで移動させた後、プライヤ等の工具を使用して接続リング６の挟圧部６ｂを挟圧すれば、環状部６ａが縮径するため、継手２３の接続筒部２３ａと接続部材１の接続リング６とで強く流体管１１を締付け、流体管１１の脱抜を確実に防止できる。
【００３４】
この実施例においても、流体管１１に外嵌したときに、接続部材１は自由移動抑制部材２によって流体管１１の任意の外周壁に保持されているので、作業性が向上する。なお、この実施例においても、自由移動抑制部材２の形状は任意に設定し得る。
【図面の簡単な説明】
【００３５】
【図１】本発明の実施例において、流体管を継手に接続するときの流体管に外嵌した接続部材を示す断面図である。
【図２】図１の接続部材を示す平面図である。
【図３】図１の接続部材を示す断面図である。
【図４】図１の接続部材に取付けられた自由移動抑制部材を示す平面図である。
【図５】図１の別の自由移動抑制部材を示す平面図である。
【図６】図１の更に別の自由移動抑制部材を示す平面図である。
【図７】図１の別の接続部材を示す断面図である。
【図８】図１の更に別の接続部材を示す断面図である。
【図９】本発明の別の実施例における流体管に外嵌した接続部材を示す断面図である。
【図１０】本発明の更に別の実施例における流体管に外嵌される接続部材を示す断面図である。
【図１１】図１０の接続リングを示す斜視図である。
【図１２】図１０の接続部材を継手に接続した状態を示す正面図である。
【図１３】本発明の実施例において適用されるヘッダを示す正面図である。
【図１４】従来の接続部材を使用して流体管を継手に接続するときの状態を示す断面図である。
【図１５】従来の接続部材を使用して流体管を継手に接続した後の状態を示す断面図である。
【図１６】本発明の別の実施例において適用される配線用ボックスを示す断面図である。
【図１７】図１６のエルボに接続するために流体管を壁材の表側に引き出した状態を示す断面図である。
【図１８】従来の別の接続部材を使用して流体管をエルボに接続するときの状態を示す断面図である。
【図１９】図１８の接続部材を使用して流体管をエルボに接続した後の状態を示す断面図である。
【符号の説明】
【００３６】
１  接続部材
２  自由移動抑制部材
２ａ  挿通部
２ｂ  突出部
３  移動スリーブ
４  袋ナット
５  円筒部
６  接続リング
１１  流体管
２３  継手
２３ａ、２５ｂ  接続筒部
２５  エルボ
【図１】
2005180709.tif 000003
【図２】
2005180709.tif 000004
【図３】
2005180709.tif 000005
【図４】
2005180709.tif 000006
【図５】
2005180709.tif 000007
【図６】
2005180709.tif 000008
【図７】
2005180709.tif 000009
【図８】
2005180709.tif 000010
【図９】
2005180709.tif 000011
【図１０】
2005180709.tif 000012
【図１１】
2005180709.tif 000013
【図１２】
2005180709.tif 000014
【図１３】
2005180709.tif 000015
【図１４】
2005180709.tif 000016
【図１５】
2005180709.tif 000017
【図１６】
2005180709.tif 000018
【図１７】
2005180709.tif 000019
【図１８】
2005180709.tif 000020
【図１９】
2005180709.tif 000021